(57)【要約】【課題】  メニュー画面の遷移時においてユーザの選択したメニューの確認を容易にする。【解決手段】  光ディスク１０のストリームデータをディスクドライブ部２０で読み込み、副映像デコード部３３において副映像の画像（メニュー画面）とこれに対応するハイライトの画像を重畳する。また、ビデオ処理部３５において、主映像データと副映像デコード部３３で重畳されたハイライト画像を含む副映像とを重畳し、Ａ／Ｖ出力部６０に出力する。あるメニュー画面から次のメニュー画面に切換えが完了するまでの間、この切換の直前に出力していたメニュー画面の画像を継続して出力する。【選択図】  図２
2005136490.tif 000002
【特許請求の範囲】
【請求項１】
主映像データと副映像データとハイライトデータとを含むストリームデータを読み込む読込手段と、
前記読込手段により読み込まれた前記ストリームデータから第１の主映像とこの第１の主映像に対応する第１の副映像と、この第１の副映像に対応するハイライトとを抽出する抽出手段と、
前記抽出手段により抽出された前記第１の副映像と前記ハイライトとを重畳して第１の重畳画像を作成する第１の重畳手段と、
前記抽出手段により抽出された前記第１の主映像と、前記第１の重畳手段により作成された前記第１の重畳画像とを重畳して第２の重畳画像を作成する第２の重畳手段と、
前記第２の重畳手段により作成された第２の重畳画像を出力する出力手段とを具備し、  前記出力手段により前記第１の副映像を含む前記第２の重畳画像から第２の副映像を含む前記第２の重畳画像が出力されるまでの間、前記第１の副映像を含む前記第２の重畳画像を継続して出力する補間手段と
を具備することを特徴とする再生装置。
【請求項２】
前記補間手段を講じるか否かを選択できる選択手段を具備することを特徴とする請求項１に記載の再生装置。
【請求項３】
前記補間手段において、前記第１の副映像を含む前記第２の重畳画像を継続して出力する時間を設定する出力時間設定手段を具備することを特徴とする請求項１に記載の再生装置。
【請求項４】
前記第１の重畳手段は、前記第２の重畳手段に出力する最新の画像をバッファリングするバッファ手段を有し、前記補間手段を講じる際には前記バッファ手段にバッファリングされた画像を前記第２の重畳手段に出力することを特徴とする請求項２に記載の再生装置。
【発明の詳細な説明】
【技術分野】
【０００１】
この発明は、例えばＤＶＤ（Ｄｉｇｉｔａｌ  Ｖｅｒｓａｔｉｌｅ  Ｄｉｓｃ）ビデオのような光ディスクの再生に適する再生装置に関する。
【背景技術】
【０００２】
近年、映像や音声等のデジタルデータを記録した光ディスクを再生するＤＶＤの再生装置（以下、「ＤＶＤプレーヤ」ともいう。）が開発され、一般普及が加速的に進んでいる。このＤＶＤの規格では、メニュー機能、マルチアングル機能等の機能が盛り込まれ、今までにないインタラクティブな楽しみ方ができる。
【０００３】
ここで、メニュー機能には、ユーザの選択によって選ばれるボタンを表示する機能とそのボタンが選択されたことを示すボタンの色替え機能（ハイライト機能）等がある。
【０００４】
ここで、ＤＶＤプレーヤの操作をリモートコントローラにより行う場合、手元のリモートコントローラの細かなボタンを操作する方法が一般的である。しかし、次々開発され市販されるＤＶＤプレーヤでは、コントロールする種類（操作内容）が増え、操作ボタン数が多くなり、電子機器に不慣れなユーザ（特にお年寄りや年少の子供）にとって操作しにくいものになっている。
【０００５】
このような問題に関しては、リモートコントローラに設けられているボタンのうち、その時点で操作可能なボタンに相当する操作項目に絞り込まれたものを表示装置の画面に表示し、その表示画面をユーザインターフェイスとして種々なリモートコントローラ操作を可能とする操作項目表示システムが提案されている（例えば、特許文献１参照）。
【特許文献１】特開２００１−３２６９０９号公報（第２３頁、図１９）
【発明の開示】
【発明が解決しようとする課題】
【０００６】
ＤＶＤの普及に伴い、誰もが簡単にＤＶＤの再生装置の操作ができることが望まれており、これは、メニュー操作においても同じである。
【０００７】
しかし、ＤＶＤに記録されているメニューデータを再生する際、あるメニュー画面から他のメニュー画面に遷移するときなどは、表示されるハイライトが一瞬消えてしまうことがある。また、メニュー画面のボタンを選択したときに表示される決定色は表示時間が短く、どれを選択したのかをユーザが確認できないことがある。更に、動画メニュー等で繰り返し再生する場合においても、繰り返し再生する際にハイライトが一瞬消えてしまい、ユーザは選択したボタンを確認することが困難になるという問題がある。
【０００８】
本発明は上記事情に鑑みてなされたもので、メニュー画面の遷移時において、ハイライトとメニュー画面とを同期して変更することで、メニュー画面の遷移時においてユーザは何を選択したかを容易に確認できる再生装置を提供することを目的とする。
【課題を解決するための手段】
【０００９】
上記目的を達成するために、本発明の再生装置は、主映像データと副映像データとハイライトデータとを含むストリームデータを読み込む読込手段と、前記読込手段により読み込まれた前記ストリームデータから第１の主映像とこの第１の主映像に対応する第１の副映像と、この第１の副映像に対応するハイライトとを抽出する抽出手段と、前記抽出手段により抽出された前記第１の副映像と前記ハイライトとを重畳して第１の重畳画像を作成する第１の重畳手段と、前記抽出手段により抽出された前記第１の主映像と、前記第１の重畳手段により作成された前記第１の重畳画像とを重畳して第２の重畳画像を作成する第２の重畳手段と、前記第２の重畳手段により作成された第２の重畳画像を出力する出力手段とを具備し、前記出力手段により前記第１の副映像を含む前記第２の重畳画像から第２の副映像を含む前記第２の重畳画像が出力されるまでの間、前記第１の副映像を含む前記第２の重畳画像を継続して出力する補間手段と具備することを特徴としている。
【発明の効果】
【００１０】
メニュー画面の遷移時において、ハイライトとメニュー画面とを同期して変更することが可能となり、ユーザは何を選択したかを容易に確認することができる。
【発明を実施するための最良の形態】
【００１１】
以下、本発明の実施の形態について図面を参照して詳細に説明する。
【００１２】
図１は本発明の実施の形態に係るディスク再生装置の構成を示すブロック図である。このディスク再生装置１は、光ディスク１０と、ディスクドライブ部２０と、デコーダ部３０と、ＳＴＣ（Ｓｙｓｔｅｍ  Ｔｉｍｅ  Ｃｏｕｎｔｅｒ）部４０と、制御部５０と、Ａ／Ｖ出力部６０とを主たる構成要素としている。ここで、ディスクドライブ部２０とデコーダ部３０とＳＴＣ部４０と制御部５０とは相互に接続されており、Ａ／Ｖ出力部６０は、デコーダ部３０と接続されている。
【００１３】
次に、各要素の構成を説明する。
【００１４】
ディスクドライブ部２０は、ビデオファイルの情報記録媒体である光ディスク１０を回転駆動し、この光ディスク１０に記録されている情報（ストリームデータ）の読み込みを実行する。
【００１５】
デコーダ部３０は、ディスク再生装置１におけるデコード処理を担当する部分である。
【００１６】
ここで、デコーダ部３０は、ディスクドライブ部２０からのデータを主映像データと副映像データ（以下、「ＳＰデータ」ともいう。）とオーディオデータとに分離するデータ処理部３１と、このデータ処理部３１で分離された主映像データをデコードして主映像を作成するビデオデコード部３２と、データ処理部３１で分離された副映像データとこれに対応するハイライト情報データとをデコードして副映像とハイライトとを重畳した画像を作成する副映像デコード部３３（第１の重畳手段）と、データ処理部３１で分離されたオーディオデータをデコードしてデジタルオーディオ出力を作成するオーディオデコード部３４と、ビデオデコード部３２からの主映像に副映像デコード部３３からの副映像を適宜合成してデジタルビデオ出力を作成するビデオ処理部３５（第２の重畳手段）と、このビデオ処理部３５からのデジタルビデオ出力をアナログビデオ信号に変換するＤ／Ａ（Ｄｉｇｉｔａｌ／Ａｎａｌｏｇ）変換部３６と、オーディオデコード部３４からのデジタルオーディオ出力をアナログオーディオ信号に変換するＤ／Ａ変換部３７とを備えている。
【００１７】
ＳＴＣ部４０は再生の基準となるタイムスタンプである時間データを作成している。
【００１８】
制御部５０は、ディスク再生装置１の全体の動作を制御する。即ち、制御部５０は、図示せぬＭＰＵ（Ｍｉｃｒｏ  Ｐｒｏｃｅｓｓｉｎｇ  Ｕｎｉｔ）と、制御プログラム等が書き込まれた図示せぬＲＯＭ（Ｒｅａｄ  Ｏｎｌｙ  Ｍｅｍｏｒｙ）と、プログラム実行に必要なワークエリアを提供するための図示せぬＲＡＭ（Ｒａｎｄｏｍ  Ａｃｃｅｓｓ  Ｍｅｍｏｒｙ）とを含んでいる。また、制御部５０は、ＳＴＣ部４０からの時間データに基づいて、ディスクドライブ部２０、デコーダ部３０を制御している。
【００１９】
Ａ／Ｖ出力部６０は、Ｄ／Ａ変換部３６からのアナログビデオ信号及びＤ／Ａ変換部３７からのアナログオーディオ信号を図示せぬ外部コンポーネント（２チャンネル〜６チャンネルのマルチチャンネルステレオ装置＋モニタＴＶまたはプロジェクタ）に供給する役目を果たす。
【００２０】
尚、図示せぬリモートコントローラ又は操作ボタンを利用することで、ユーザが、ＤＶＤの再生、停止、早送り等、ディスク再生装置１への指示が可能である。
【００２１】
次に、光ディスク１０のビデオファイルの構造について説明する。
【００２２】
図３（ａ）は、ＤＶＤビデオ規格におけるビデオオブジェクトセット（ＶＯＢＳ）の構造を示している。このＶＯＢＳは階層構造となっており、１つのＶＯＢＳは、１つまたは複数のビデオオブジェクト（ＶＯＢ＿ＩＤＮ１〜ＶＯＢ＿ＩＤＮｉ）で構成されている。
【００２３】
また、１つのビデオオブジェクト（ＶＯＢ）は、１つまたは複数のセル（Ｃ＿ＩＤＮ１〜Ｃ＿ＩＤＮｊ）により構成されている。さらに、１つのセルは、１つまたは複数のビデオオブジェクトユニット（ＶＯＢＵ）により構成されている。
【００２４】
そして、１つのＶＯＢＵは、１つのナビゲーションパック（ＮＶ＿ＰＣＫ）と、１つまたは複数のオーディオパック（Ａ＿ＰＣＫ）と、主映像単位となる１つまたは複数のビデオパック（Ｖ＿ＰＣＫ）と、副映像単位となる１つまたは複数の副映像パック（ＳＰ＿ＰＣＫ）とで構成されている。
【００２５】
なお、各パック（ＰＣＫ）は、パックヘッダと、１つ以上のパケット（ＰＫＴ）から構成されている。このパックは、データ転送処理を行なう最小単位である。また、論理上の処理を行なう最小単位はセルである。
【００２６】
ここで、データ処理部３１で分離され副映像デコード部３３に転送される副映像データは、図３（ｂ）に示すようなデータ構成となっている。すなわち、副映像データは、ある時刻内にデコードされるデータ群がユニットという単位で構成されている。  即ち、上記のＳＰ＿ＰＣＫを複数集めてユニット単位分にしたものを副映像ユニット（ＳＰＵ）という。各ＳＰＵの先頭には、そのユニットの副映像データをデコードさせる時刻を示すＰＴＳ（Ｐｒｅｓｅｎｔａｔｉｏｎ  Ｔｉｍｅ  Ｓｔａｍｐ）が付されている。
【００２７】
また、ＳＰＵは、ＳＰＵのサイズ等が格納されたサブピクチャユニットヘッダ（ＳＰＵＨ）の他、副映像を格納するピクセルデータ（ＰＸＤ）、副映像の表示を制御するＳＰ表示制御シーケンステーブル（ＳＰ＿ＤＣＳＱＴ）で構成される。
【００２８】
ここで、ＳＰ＿ＤＣＳＱＴは１つまたは複数のＳＰ表示シーケンス（ＳＰ＿ＤＣＳＱ＃０〜ＳＰ＿ＤＣＳＱ＃ｎ）で構成されており、ＳＰ＿ＤＣＳＱの開始時刻（ＳＰ＿ＤＣＳＱ＿ＳＴＭ）と、次のＳＰ＿ＤＣＳＱの先頭アドレス（ＳＰ＿ＮＸＴ＿ＤＣＳＱ＿ＳＡ）と１つまたは複数のＳＰ表示制御コマンド（ＳＰ＿ＤＣＣＭＤ＃１〜ＳＰ＿ＤＣＣＭＤ＃ｎ）で構成されている。ここで、ＳＰ＿ＤＣＳＱはＳＰ＿ＤＣＣＭＤの実行開始時刻をＳＰ＿ＰＫＴ内に記述されたＰＴＳからの相対ＰＴＭ（Ｐｒｅｓｅｎｔａｔｉｏｎ  Ｔｉｍｅ：再生時刻）で記述したものである。尚、ＳＰＵの有効期間はＳＰＵのＰＴＳから次に再生されるＳＰＵのＰＴＳまでである。
【００２９】
図４は図３（ａ）に示したＤＶＤに記録されるナビゲーションパック（ＮＶ＿ＰＣＫ）の階層データ構造を説明した図である。各ＮＶ＿ＰＣＫは、パックヘッダと、システムヘッダと、再生制御情報（ＰＣＩ）パケットのパケットヘッダと、ＰＣＩパケットのサブストリームＩＤと、ＰＣＩデータと、データ検索情報（ＤＳＩ）パケットのパケットヘッダと、ＤＳＩパケットのサブストリームＩＤと、ＤＳＩデータとで構成されている。
【００３０】
ＰＣＩデータは、ＰＣＩ一般情報、ノンシームレスアングル情報、ハイライト情報（ＨＬＩ）、記録情報等を含んでいる。ＰＣＩ一般情報は、該当ＶＯＢＵの再生開始時刻（ＶＯＢＵ＿Ｓ＿ＰＴＭ）、該当ＶＯＢＵの再生終了時刻（ＶＯＢＵ＿Ｅ＿ＰＴＭ）等を含んでいる。
【００３１】
ＰＣＩデータ中のハイライト情報（ＨＬＩ）は、ハイライト一般情報、ボタンカラー情報テーブル、およびボタン情報テーブルで構成されている。ここで、ハイライト一般情報は、ハイライトの再生開始時刻（ＨＬＩ＿Ｓ＿ＰＴＭ）、ハイライトの再生終了時刻（ＨＬＩ＿Ｅ＿ＰＴＭ）等を含んでいる。
【００３２】
次に、図１及び図２を参照して、本発明の実施の形態に係るディスク再生装置の副映像及びハイライトの表示方法を説明する。図２は、本発明の実施の形態に係るディスク再生装置の副映像及びハイライトの表示方法を説明するフローチャートである。
【００３３】
まず、副映像デコード部３３にメニュー表示が指示される（ステップＳ１）。この指示は、ユーザによるディスク再生装置１へのメニュー画面の再生指示により、制御部５０が副映像デコード部３３に対し、デコード処理すべきＶＯＢＵを決定することでメニューを表示したり、あるいは自動再生機能によりユーザの指示によらずにディスク再生装置１の判断でメニューを再生することで実現される。
【００３４】
図５は、メニュー画面における主映像と副映像及びハイライトの表示の例を示したものである。ここでは簡単のため、主映像は無模様の単一色の画面としている。また、副映像は、ｍａｉｎ  ｍｅｎｕとして、ｔｉｔｌｅ  ｐｌａｙ、ｃｈａｐｔｅｒ  ｍｅｎｕ、ｌａｎｇｕａｇｅ  ｍｅｎｕの３つのボタンからなるメニュー画面の画像で構成している。
【００３５】
そして、ハイライトは、選択時は図５（ａ）に示すように、斜線で構成されるものとし、決定時は、図５（ｂ）に示すように網目模様で構成されるものとする。従って、ビデオ処理部３５において主映像と副映像とハイライトとが重畳されると、画面からは、図５（ａ）における混合画像に示したような画像となる。
【００３６】
次に、副映像デコード部３３は、表示されているメニュー画面の主映像データに対応する副映像（ＳＰ）データが存在するかを判断する（ステップＳ２）。即ち、副映像デコード部３３はＳＴＣ部４０での時刻を参照し、ビデオ処理部３５に送出された主映像と同時刻（同期して）に再生すべき副映像（第１の副映像）が副映像デコード部３３内に存在するか否かを判断する。
【００３７】
その結果、副映像デコード部３３に主映像に同期する副映像が存在しない場合には（ステップＳ２のＮｏ）、同期する副映像を見つけるまでこの判断を継続する。従って、この間は主映像のみ（図５（ａ）を例にとれば、単一色である主映像のみ）が表示されることとなる。
【００３８】
一方、副映像デコード部３３に主映像に同期する副映像が存在すると判断した場合には（ステップＳ２のＹｅｓ）、更に副映像デコード部３３は当該副映像が有効か否かを判断する（ステップＳ３）。
【００３９】
ここで、当該副映像が有効か否かの判断は以下のように行う。即ち、副映像デコード部３３はＳＴＣ部４０の時刻と、ＳＰＵ（図３（ｂ）参照）のＰＴＳ及びＳＰ＿ＤＣＳＱ＿ＳＴＭの時刻を足し合わせたものとを比較し、ＰＴＳとＳＴＭの時刻を足し合わせた時刻がＳＴＣの時刻になっている場合には有効と判断する。その結果、副映像が有効でない場合には（ステップＳ３のＮｏ）、副映像が有効になる時間までこの判断を続ける。即ち、副映像が再生される時刻までこの判断が続けられることとなる。
【００４０】
一方、副映像が有効である場合には（ステップＳ３のＹｅｓ）、副映像デコード部３３はこの副映像に対応する処理すべきハイライト情報（ＨＬＩ）データが存在するか否かを判断する（ステップＳ４）。この判断は、制御部５０から副映像デコード部３３に送出される同一のＶＯＢＵの中の１つまたは複数のＨＬＩデータがあるか否かを判断する。
【００４１】
その結果、対応するＨＬＩデータが存在しない場合には（ステップＳ４のＮｏ）、副映像デコード部３３は副映像のみをデコードする（ステップＳ６）。即ち、この場合、副映像デコード部３３にてデコードされるのは副映像データのみである。
【００４２】
一方、対応するＨＬＩデータが存在する場合には（ステップＳ４のＹｅｓ）、副映像デコード部３３は、更にそのＨＬＩが有効であるか否かを判断する（ステップＳ５）。
【００４３】
ここで有効であるか否かの判断は、ＳＴＣ部４０の時刻がＨＬＩ＿Ｓ＿ＰＴＭ（図４参照）の時刻になっており、かつ、ＨＬＩ＿Ｅ＿ＰＴＭ（図４参照）の時刻を過ぎていない場合には有効であると判断される。
【００４４】
ここで、ＳＰＵ（図３（ｂ））とＨＬＩ（図４）との関係は以下のようになっている。
【００４５】
まず、ＨＬＩの再生開始時刻であるＨＬＩ＿Ｓ＿ＰＴＭはＳＰＵの再生時刻であるＰＴＳに等しくなければならず、ＨＬＩは副映像が再生されているときのみ有効である。
【００４６】
また、副映像はＨＬＩの有効期間（ＨＬＩ＿Ｓ＿ＰＴＭ〜ＨＬＩ＿Ｅ＿ＰＴＭ）内に変更できる。ここで、従来のディスク再生装置１では副映像を変更するときはビデオ処理部３５において副映像を破棄する。従って、変更後は画面上に副映像の無いビデオが残る。
【００４７】
これに対し、本実施の形態におけるディスク再生装置１は、後述するように副映像を破棄（消去）しない設定も可能である（図２、ステップＳ９参照）。
【００４８】
さて、ＨＬＩの有効性の判断の結果、ＨＬＩデータが有効でない場合には（ステップＳ５のＮｏ）、前述したステップＳ６に進み、副映像デコード部３３はＨＬＩデータが無い副映像データのみをデコードする。
【００４９】
一方、ＨＬＩデータが有効である場合には（ステップＳ５のＹｅｓ）、副映像デコード部３３にてＨＬＩデータと副映像データとをデコードし、ハイライトと副映像とを重畳した画像を作成する（ステップＳ７）。
【００５０】
即ち、従来のディスク再生装置１では、ナビゲーションデータであるＨＬＩデータはデコーダ部３０にＨＬＩデータ専用のデコード部（ＨＬＩデコード部）を設け、このＨＬＩデコード部にてＨＬＩデータのデコードを行い、そのデコードされた信号をビデオ処理部３５に送出していた。しかし、本発明の実施の形態では、ＨＬＩデータは副映像デコード部３３に送出し、この副映像デコード部３３にて、副映像データと共にＨＬＩデータをもデコードし、ビデオ処理部３５は図５（ｃ）に示すように主映像とハイライトが重畳された副映像（ハイライトがない場合は、副映像のみの画像）とを重畳する。
【００５１】
これにより、ハイライトがある場合には副映像とハイライトが完全に同期した１つ画像となり、例えば図５（ｃ）の混合画像に示すようなメニュー表示上でハイライトされた画面が表示される。
【００５２】
尚、ビデオ処理部３５はそれ自身重畳する機能を持っているため、副映像デコード部３３での重畳はビデオ処理部３５で行っても良い。
【００５３】
次に、制御部５０はユーザから副映像の変更指示があったか否かを判断する。この変更指示とは、例えば図５（ａ）におけるメニュー画面において、ｔｉｔｌｅ  ｐｌａｙ、ｃｈａｐｔｅｒ  ｍｅｎｕ、ｌａｎｇｕａｇｅ  ｍｅｎｕの３つの中から任意の１つを選ぶこと等による強制的な変更指示のことである。
【００５４】
その結果、副映像の変更指示が無い場合には（ステップＳ８のＮｏ）、当該副映像の終了時刻までそのままの表示を継続し（ステップＳ１４）、本実施の形態にかかる処理は終了する。従って、この後は、次の副映像（第２の副映像）の処理が行なわれる。
【００５５】
一方、副映像の変更指示がある場合には（ステップＳ８のＹｅｓ）、制御部５０は副映像デコード部３３に副映像のデコードの中止を命令し、更に再生中の副映像を消去するか否かを判断する（ステップＳ９）。この判断は、予めディスク再生装置１において設定されたものを確認するものである。この設定は、例えば制御部５０の図示せぬＲＡＭ等にしておくことで実現できる。
【００５６】
その結果、副映像を消去する設定である場合には（ステップＳ９のＹｅｓ）、該当する副映像を消去する（ステップＳ１５）。この消去は、制御部５０からの指示により副映像デコード部３３にある図示しない記憶部（バッファ部）からハイライトが重畳された副映像の画像（ハイライトが無い場合は副映像のみの画像）のデータを消去することである。
【００５７】
また、この消去は、ＳＰ表示制御コマンド（ＳＰ＿ＤＣＣＭＤ，図３（ｂ）参照）により表示領域を無くす（例えばゼロにする）設定でも行うことが可能である。従って、このステップＳ１５により主映像のみの画像が表示されることとなる。
【００５８】
次に、副映像デコード部３３は制御部５０からの次の副映像（第２の副映像）の表示指示があるか否かを判断する（ステップＳ１６）。
【００５９】
その結果、副映像の表示指示が無い場合には（ステップＳ１６のＮｏ）、制御部５０より表示指示があるまでこの判断を続ける。
【００６０】
一方、副映像ストリームの表示指示がある場合には（ステップＳ１６のＹｅｓ）、本発明の実施の形態の処理は終了し、副映像デコード部３３は次の副映像データの処理を行う。従って、ディスク再生装置１は次の副映像が出力されるまで主映像のみを表示することとなる。
【００６１】
以上説明してきた処理のうち、副映像に対応するＨＬＩデータが存在している場合（ステップＳ５のＹｅｓ）において、副映像の変更指示が出された場合に、その表示を消去する設定（ステップＳ９のＹｅｓ）の画面出力は図６を用いて説明できる。
【００６２】
まず、図２における、ステップＳ７までの処理を行った画面が図６（ａ）のようにｍａｉｎ  ｍｅｎｕが表示された状態であるとする。この画面の状態では、ユーザは、ｔｉｔｌｅ  ｐｌａｙ、ｃｈａｐｔｅｒ  ｍｅｎｕ、ｌａｎｇｕａｇｅ  ｍｅｎｕの３つのボタンから任意の１つを選べる状態であり、図６（ａ）では、ｍａｉｎ  ｍｅｎｕの中からｃｈａｐｔｅｒ  ｍｅｎｕを選択している状態である。
【００６３】
この状態から、ユーザが、ｃｈａｐｔｅｒ  ｍｅｎｕを決定すると、ハイライトが、図６（ａ）に示す選択のハイライト（斜線模様）から図６（ｂ）に示す決定のハイライト（網目模様）へと変わる（ステップＳ８）。
【００６４】
ここで、ディスク再生装置１では、副映像の表示を消去する設定としている為（ステップＳ９のＹｅｓ）、ステップＳ１５の処理に進み、副映像とハイライトの表示が消去される。従って、制御部５０から副映像デコード部３３へのデコード処理中止の指令に伴い、画面の出力は図６（ｃ）に示すようにｍａｉｎ  ｍｅｎｕの表示が消去された状態になり、主映像である単一色の画像のみが表示されることとなる。
【００６５】
そして、ステップＳ１６により副映像の表示指示があると、制御部５０が副映像デコード部３３にデコード命令を出し、副映像デコード部３３が次に出力する副映像をデコードし、ビデオ処理部３５にその信号を送出し、Ｄ／Ａ変換部３６、Ａ／Ｖ出力部６０を介して画面に出力されるまでは図６（ｄ）に示すように主映像のみが表示されることとなる。
【００６６】
従って、これらの処理が完了して初めて図６（ｅ）に示すように新たな副映像である選択されたｃｈａｐｔｅｒ  ｍｅｎｕに変わることとなる。
【００６７】
これにより、あるメニュー画面（第１の副映像を含む第２の重畳画像）から他のメニュー画面（第２の副映像を含む第２の重畳画像）に遷移する場合に、ハイライトの表示が一瞬消える従来のディスク再生装置と同様な表示が可能となる。
【００６８】
以上がステップＳ９で副映像を消去する設定の場合であるが、次に、図２のフローチャートの説明に戻り、副映像を消去する設定でない場合には（ステップＳ９のＮｏ）、以下の処理を行う。
【００６９】
まず、副映像（第１の副映像）の表示をそのまま続ける（ステップＳ１０）。即ち、通常は、副映像デコード部３３での副映像の記憶を破棄するのであるが、本処理は、これを行わず、直前までデコードしていたハイライトが重畳された副映像（ハイライトがない場合は副映像のみの画像，第１の副映像を含む第２の重畳画像）を継続してビデオ処理部３５に出力する（補間手段）。これにより主映像だけでなく、副映像とハイライトをもそのまま画面出力されることとなる。
【００７０】
尚、副映像デコード部３３に別途バッファ部を設け、副映像とハイライトの画像の最新の画像をバッファリングしておき、ステップＳ１０ではこのバッファ部からの画像をビデオ処理部３５に送出して画面から出力させるようにしても良い。
【００７１】
次に、副映像デコード部３３は制御部５０からの次の副映像（第２の副映像）データの表示指示があるか否かを判断する（ステップＳ１１）。その結果、この表示指示が無い場合には（ステップＳ１１のＮｏ）、表示指示があるまでこの判断を続ける。一方、表示指示がある場合には（ステップＳ１１のＹｅｓ）、副映像デコード部３３は、ＳＴＣ部４０の時刻が表示指示と共に制御部５０から受信していた次のＶＯＢＵのＶＯＢＵ＿Ｓ＿ＰＴＭの時刻を経過したか否かを判断する（ステップＳ１２）。
【００７２】
その結果、副映像デコード部３３はＳＴＣ部４０の時刻が次のＶＯＢＵのＶＯＢＵ＿Ｓ＿ＰＴＭの時刻を経過していないと判断した場合には（ステップＳ１２のＮｏ）、ＳＴＣ部４０の時刻が次のＶＯＢＵのＶＯＢＵ＿Ｓ＿ＰＴＭの時刻を経過するまでこの判断を続けることとなる。
【００７３】
一方、副映像デコード部３３はＳＴＣ部４０の時刻が次のＶＯＢＵのＶＯＢＵ＿Ｓ＿ＰＴＭの時刻を経過したと判断した場合には（ステップＳ１２のＹｅｓ）、副映像とハイライトの表示を消去する（ステップＳ１３）。ここで、副映像とハイライトの表示の消去は、副映像デコード部３３の記憶部から副映像とハイライトの情報を消去することであるが、ＳＰ表示制御コマンド（ＳＰ＿ＤＣＣＭＤ，図３（ｂ）参照）により表示領域を無くす（例えばゼロにする）設定で行うことも可能である。これにより本発明の実施の形態の処理は終了し、次の副映像の処理を行うこととなる。
【００７４】
以上のステップＳ９のＮｏ〜ステップＳ１３までの処理を伴った場合の、画面出力は図６を用いて説明すると次のようになる。
【００７５】
ステップＳ７までの処理を行った画面が図６（ａ）であるとすると、ｍａｉｎ  ｍｅｎｕの中からｃｈａｐｔｅｒ  ｍｅｎｕを選択を決定すると、ハイライトが、図６（ａ）に示す選択のハイライト（斜線模様）から図６（ｂ）に示す決定のハイライト（網目模様）へと変わる。
【００７６】
ここで、ディスク再生装置１は、副映像の表示を消去しない、即ち、そのままの画面表示を継続する設定になっているため（ステップＳ９のＮｏ）、ステップＳ１０に進み表示を継続する。即ち、図６（ｆ）に示すように、副映像デコード部３３が最後に作成した副映像とハイライトを重畳した画像を、Ａ／Ｖ出力部６０を介して出力を継続する。
【００７７】
副映像の表示指示があると（ステップＳ１１のＹｅｓ）、この出力の継続の間に、副映像デコード部３３は次に出力する副映像（第２の副映像）データをデコードする。そして、次に出力する副映像の再生開始と同時に、今まで出力を継続していた副映像（第１の副映像）の出力を停止し、新たな副映像（第２の副映像）を再生することとなる。
【００７８】
即ち、図６（ｆ）は新たな副映像が再生される時間が指定されるまで、図６（ｇ）のように決定されたメニュー画面の表示と同じ画像（第１の副映像を含む第２の重畳画像）を出し続け、次のメニューの切換と同時に、新たなメニュー（図６（ｅ））のように表示されることとなる。
【００７９】
このように、ステップＳ９〜ステップＳ１３の処理を行うことで、あるメニュー画面（第１の副映像を含む第２の重畳画像）から他のメニュー画面（第２の副映像を含む第２の重畳画像）に遷移する場合にハイライトを含む副映像の表示が消えることがなくなる。これにより、メニュー画面と同時期に表示されるハイライト表示が一瞬消えてしまう現象が無くなる。従って、ユーザは選択したボタンを容易に確認することが可能となる。
【００８０】
尚、図６（ｆ）の状態から次の副映像の再生開始時刻までは表示を消去する設定により、図６（ｆ）から図６（ｄ）のような画像にすることも可能である。これにより、主映像のみが再生される時間を調整することが出来る。
【００８１】
以上、説明してきたように、副映像とハイライトの処理を副映像デコード部３３が行い、メニューの遷移状態においても、その直前の画像をそのまま継続する制御を伴うことで、従来、あるメニュー画面から他のメニュー画面へと遷移する際に、ハイライト画面が消えてしまう現象を回避でき、ユーザによるメニューの選択の確認が容易となる。
【００８２】
また、従来と同様に遷移の際にメニュー画面が一瞬消える設定も可能であり、遷移に関する連続再生か、不連続の再生かは任意に選択することが可能である。
【００８３】
尚、本実施の形態は、ディスク再生装置であるが、本発明はこれに限定されず、主映像データと副映像データとハイライトデータとを含むストリームデータを再生することができる再生装置であればどんなものでも良い。
【図面の簡単な説明】
【００８４】
【図１】本発明の実施の形態に係るディスク再生装置の構成を示すブロック図
【図２】本発明の実施の形態に係るディスク再生装置の副映像及びハイライトの表示方法を説明するフローチャート
【図３】ＤＶＤビデオ規格におけるビデオファイル構造
【図４】ＤＶＤディスクに記録されるナビゲーションパックの階層データ構造を説明した図
【図５】メニュー画面における主映像と副映像及びハイライト表示の例
【図６】本実施の形態の処理を伴った場合のＣＲＴの出力画面を示した図
【符号の説明】
【００８５】
１  ディスク再生装置
１０  光ディスク
２０  ディスクドライブ部
３０  デコーダ部
３１  データ処理部
３２  ビデオデコード部
３３  副映像デコード部
３４  オーディオデコード部
３５  ビデオ処理部
３６  Ｄ／Ａ変換部
３７  Ｄ／Ａ変換部
４０  ＳＴＣ部
５０  制御部
６０  Ａ／Ｖ出力部
【図１】
2005136490.tif 000003
【図２】
2005136490.tif 000004
【図３】
2005136490.tif 000005
【図４】
2005136490.tif 000006
【図５】
2005136490.tif 000007
【図６】
2005136490.tif 000008